(57)【要約】【課題】装置が小型で、マットを濡らさず、且つマットの植毛部を傷めずに清掃することができ、埃Ｄを十分に除去することができる乾式マット清掃装置の提供。【解決手段】マットＭが叩打ローラ１５に対向すると、叩打ローラ１５の角部がマットＭの裏面を叩く。このようにマットＭの裏面が叩かれながら、揺動するエアノズル６７からエアがマットＭの表面の植毛部Ｂに対して噴射される。エアノズル６７は揺動しているので、エアは植毛部Ｂをかき分けるように作用する。したがって、植毛部Ｂ内の埃Ｄが掻き出されて、埃Ｄを十分に除去することができる。このように、乾式マット清掃装置１は洗浄液を給排水させるための機構を備えていないため、装置を小型なものにできる。また、エアを噴出して埃Ｄを除去するためマットＭを濡らすことがなく、さらに植毛部Ｂを傷めることがない。【選択図】        図５
2015071133.tif 000002
【特許請求の範囲】
【請求項１】
マットを搬送する搬送手段と、前記マットの裏面を下方へ向けて叩打する叩打手段と、前記叩打手段によって叩打されているマットの表面へエアを噴射するエアノズルと、前記エアノズルにエアを供給するエア供給手段と、前記エアノズルをマットの搬送方向と交差する方向へ揺動するノズル揺動手段を具備することを特徴とする乾式マット清掃装置。
【請求項２】
請求項１に記載した乾式マット清掃装置において、ノズル揺動手段によるエアノズルの揺動、搬送手段の動作及び叩打手段の動作を連動させる連動手段を具備することを特徴とする乾式マット清掃装置。
【請求項３】
請求項２に記載した乾式マット清掃装置において、搬送手段は回転駆動する駆動ローラと、前記駆動ローラに対向して備えられた従動ローラとによって構成され、叩打手段は外周に角部を有し回転駆動する叩打ローラによって構成されており、連動手段は前記駆動ローラと前記叩打ローラにモータからの駆動力を伝達するモータ駆動力伝達手段と、前記駆動ローラと前記叩打ローラのいずれか一方からの駆動力をノズル揺動手段に伝達するローラ駆動力伝達手段によって構成されていることを特徴とする乾式マット清掃装置。
【請求項４】
請求項１から３のいずれかに記載した乾式マット清掃装置において、ノズル揺動手段はエアノズルを保持し、揺動自在に支持されたノズルホルダと、前記ノズルホルダを揺動させる駆動力を伝達するホルダ駆動力伝達手段とから成ることを特徴とする乾式マット清掃装置。
【請求項５】
請求項３または４に記載した記載した乾式マット清掃装置において、前記駆動ローラと前記叩打ローラの駆動源となるモータは一台であることを特徴とする乾式マット清掃装置。
【請求項６】
請求項１から５のいずれかに記載した乾式マット清掃装置において、搬送手段によってマットが搬送されていない状態ではエアノズルへのエア供給を停止し、前記搬送手段によってマットの搬送が開始されると前記エアノズルへのエア供給を開始するスイッチ手段を備えたことを特徴とする乾式マット清掃装置。
【発明の詳細な説明】
【技術分野】
【０００１】
本発明は乾式マット清掃装置に係り、特に自動車のフロアに敷くマット等を清掃する乾式マット清掃装置に関するものである。
【背景技術】
【０００２】
ガソリンスタンドなどにおいて自動車のフロアに敷くマットを清掃するサービスが行われている。マットを清掃する装置としては例えば特許文献１に記載されたマット洗浄機がある。このマット洗浄機では、ローラに挟まれて搬送されるマットに洗浄液を吹き付け、ブラシローラによりブラッシングして洗浄を行い、更に絞りローラに挟持されることによって水分を絞ってから、外部へ排出されるようになっている。
【０００３】
一方、マットを清掃する装置として特許文献２に記載された吸引式自動車用マット洗浄機がある。この吸引式自動車用マット洗浄機は、ローラに挟まれて搬送されながら、マットに付着したゴミを固定されたエアノズルから噴射される圧縮エアで吹き飛ばして、その吹き飛ばしたゴミを吸引するものである。
【先行技術文献】
【特許文献】
【０００４】
【特許文献１】特開平１０−１１８６０１号公報
【特許文献２】特開２００５−１１８６１０号公報
【発明の概要】
【発明が解決しようとする課題】
【０００５】
しかしながら、特許文献１のマット洗浄機は洗浄液を給水させるための機構を備えているので、装置が大型化してしまうという問題がある。また、このマット洗浄機では洗浄液でマットが濡れることになるので、マットを乾燥させる必要があり、この作業のための時間、手間がかかるという問題もある。さらに、表面に植毛されたマットでは、植毛部にブラシが摺接することで、植毛部を傷めてしまうという問題がある。
一方、特許文献２の吸引式自動車用マット洗浄機は洗浄液を使用しないためマットを乾燥させる必要はないが、マットに固定されたエアノズルから圧縮エアを吹き付けるだけでは植毛部の毛の間に入り込んだ埃を十分に除去することができないという問題がある。
【０００６】
本発明は上記従来の問題に着目して為されたものであり、装置が小型で、マットを濡らさず、且つマットの植毛部を傷めずに清掃することができ、埃を十分に除去することができる乾式マット清掃装置の提供を、その目的とする。
【課題を解決するための手段】
【０００７】
本発明は上記課題を解決するためになされたものであり、請求項１の発明は、マットを搬送する搬送手段と、前記マットの裏面を下方へ向けて叩打する叩打手段と、前記叩打手段によって叩打されているマットの表面へエアを噴射するエアノズルと、前記エアノズルにエアを供給するエア供給手段と、前記エアノズルをマットの搬送方向と交差する方向へ揺動するノズル揺動手段を具備することを特徴とする乾式マット清掃装置である。
【０００８】
請求項２の発明は、請求項１に記載した乾式マット清掃装置において、ノズル揺動手段によるエアノズルの揺動、搬送手段の動作及び叩打手段の動作を連動させる連動手段を具備することを特徴とする乾式マット清掃装置である。
【０００９】
請求項３の発明は、請求項２に記載した乾式マット清掃装置において、搬送手段は回転駆動する駆動ローラと、前記駆動ローラに対向して備えられた従動ローラとによって構成され、叩打手段は外周に角部を有し回転駆動する叩打ローラによって構成されており、連動手段は前記駆動ローラと前記叩打ローラにモータからの駆動力を伝達するモータ駆動力伝達手段と、前記駆動ローラと前記叩打ローラのいずれか一方からの駆動力をノズル揺動手段に伝達するローラ駆動力伝達手段によって構成されていることを特徴とする乾式マット清掃装置である。
【００１０】
請求項４の発明は、請求項１から３のいずれかに記載した乾式マット清掃装置において、ノズル揺動手段はエアノズルを保持し、揺動自在に支持されたノズルホルダと、前記ノズルホルダを揺動させる駆動力を伝達するホルダ駆動力伝達手段とから成ることを特徴とする乾式マット清掃装置である。
【００１１】
請求項５の発明は、請求項３または４に記載した記載した乾式マット清掃装置において、前記駆動ローラと前記叩打ローラの駆動源となるモータは一台であることを特徴とする乾式マット清掃装置である。
【００１２】
請求項６の発明は、請求項１から５のいずれかに記載した乾式マット清掃装置において、搬送手段によってマットが搬送されていない状態ではエアノズルへのエア供給を停止し、前記搬送手段によってマットの搬送が開始されると前記エアノズルへのエア供給を開始するスイッチ手段を備えたことを特徴とする乾式マット清掃装置である。
【発明の効果】
【００１３】
本発明の乾式マット清掃装置によれば、装置を小型なものとでき、マットを濡らさず、且つマットの植毛部を傷めることなく、ゴミを十分に除去することが可能となる。
【図面の簡単な説明】
【００１４】
【図１】本発明の乾式マット清掃装置の実施の形態に係る斜視図である。
【図２】図１の乾式マット清掃装置の内部構造を示す斜視図である。
【図３】図１の乾式マット清掃装置の内部構造の右側面図である。
【図４】図１の乾式マット清掃装置の内部構造の左側面図である。
【図５】図１の乾式マット清掃装置がマットを清掃している状態を説明するための斜視図である。
【発明を実施するための形態】
【００１５】
本発明の実施の形態に係る乾式マット清掃装置１を図面にしたがって説明する。
符号３はベースを示し、このベース３には一対の脚部５が互いに間隔を開けて設けられている。この脚部５の上端にはケース７が支持されており、ケース７には前面と上面に開口する凹部９が形成されている。凹部９には駆動ローラ１１、従動ローラ１３および叩打手段としての叩打ローラ１５が配置されている。駆動ローラ１１の上方には従動ローラ１３が備えられ、また、叩打ローラ１５は駆動ローラ１１の後方に備えられている。凹部９の後端部には図示しない落下口が設けられている。
駆動ローラ１１と従動ローラ１３によって搬送手段が構成されている。
【００１６】
駆動ローラ１１は軸部１７と、この軸部１７に互いに間隔をあけて固定された短寸法のローラ部１９とによって構成されている。
従動ローラ１３は軸部２１と、この軸部２１に固定された長寸法のローラ部２３とによって構成されている。
叩打ローラ１５は軸部２５と、この軸部２５に固定された外周に角部を有する四角柱状のローラ部２７とによって構成されている。
【００１７】
駆動ローラ１１の軸部１７の右端部には大径スプロケット２９が固定されている。また、叩打ローラ１５の軸部２５の左端部には大径プーリー３１が固定されており、また軸部２５の右端部には小径スプロケット３３が固定されている。
ケース７内において小径スプロケット３３の後斜め下方に回転軸３５が設けられ、この回転軸３５には大径スプロケット３７と小径スプロケット３９が固定されている。更に、ケース７内において回転軸３５の前斜め下方には回転軸４１が設けられ、この回転軸４１には小径スプロケット４３が固定されている。
【００１８】
符号４５はモータを示し、このモータ４５の駆動軸４７には小径プーリー４９が固定されており、小径プーリー４９と大径プーリー３１にはベルト５１が掛け渡されている、
小径スプロケット３３と小径スプロケット４３にはチェーン５３が掛け渡され、このチェーン５３の外周部には大径スプロケット３７が噛み合っている。また、大径スプロケット２９と小径スプロケット３９にはチェーン５４が掛け渡されている。
【００１９】
符号５５は取付ベースを示し、この取付ベース５５はケース７内において大径スプロケット２９の下方に備えられている。取付ベース５５には三角プレート５７が支持軸５９によって支持され、三角プレート５７は支持軸５９を支点として左右方向に揺動可能となっている。
符号６１は取付ベースを示し、この取付ベース６１はケース７内において駆動ローラ１１の中心の下方に備えられている。取付ベース６１にはノズルホルダ６３が支持軸６５によって支持され、ノズルホルダ６３は支持軸６５を支点として左右方向へ揺動可能となっている。ノズルホルダ６３にはエアノズル６７が取り付けられている。エアノズル６７は斜め上方を向いており、その先端部は叩打ローラ１５に臨んでいる。
【００２０】
符号６９は回動プレートを示し、この回動プレート６９の一端部は駆動ローラ１１の軸部１７の右端部に固定されている。図２、図３に示すように、回動プレート６９の他端部には連結プレート７１の一端部が回動自在に取り付けられ、連結プレート７１の他端部には連結シャフト７３の一端部が取り付けられている。連結シャフト７３の他端部は三角プレート５７の右側角部に回動自在に連結されている。
また、三角プレート５７の左側角部には連結シャフト７５の一端部が回動自在に連結されており、この連結シャフト７５の他端部はノズルホルダ６３の中心よりやや下の部分に回動可能に連結されている。
【００２１】
大径プーリー３１、大径スプロケット２９、３７、小径スプロケット３３、３９、４３、小径プーリー４９、ベルト５１、チェーン５３、５４、回動プレート６９、連結プレート７１および連結シャフト７３によって連動手段が構成されている。
大径プーリー３１、大径スプロケット２９、３７、小径スプロケット３３、３９、４３、小径プーリー４９、ベルト５１、チェーン５３、５４によってモータ駆動力伝達手段が構成されている。
回動プレート６９、連結プレート７１および連結シャフト７３によってローラ駆動力伝達手段が構成されている。
取付ベース５５、支持軸５９、三角プレート５７、取付ベース６１、ノズルホルダ６３、支持軸６５およびに連結シャフト７５よってノズル揺動手段が構成されている。
取付ベース５５、支持軸５９、三角プレート５７、取付ベース６１、支持軸６５および連結シャフト７５によってホルダ駆動力伝達手段が構成されている。
【００２２】
ケース７内には一対の回動プレート７７が備えられ、回動プレート７７は従動ローラ１３の左右に互いに対向して配置されている。回動プレート７７はその前端部に取り付けられた取付軸７９によってケース７に対して揺動自在に支持され、回動プレート７７は従動ローラ１３の軸部２１を回動自在に支持している。また、回動プレート７７の後端部にはコイルスプリング８１の一端部が連結され、他端部はケース７に連結されている。このコイルスプリング８１の弾性力によって図４において反時計回りの方向へ付勢されている。よって、従動ローラ１３のローラ部２３は駆動ローラ１１のローラ部１９に圧接させられている。
符号８３はリミットスイッチを示し、このリミットスイッチ８３は押圧ボタン８５を有している。押圧ボタン８５は図示しないバネによって突出する方向へ付勢されている。押圧ボタン８５は回動プレート７７の後端部によって押圧され、前記バネの付勢力に抗して押し込まれている。
【００２３】
符号８７はエアバルブを示し、このエアバルブ８７は連結管８９を介して図示しないコンプレッサーに連結され、またエアバルブ８７は連結管９１を介してエアノズル６７に連結されている。前記したリミットスイッチ８３の押圧ボタン８５が回動プレート７７に押圧されるとエアバルブ８７は閉じた状態となり、コンプレッサーからエアノズル６７に供給されるエアが停止される。回動プレート７７の押圧ボタン８５に対する押圧が解除されて押圧ボタン８５が突出すると、エアバルブ８７が開いた状態となる。
回動プレート７７、エアバルブ８７およびリミットスイッチ８３によってスイッチ手段が構成されている。
【００２４】
ケース７には蓋体９３が設けられ、この蓋体９３は凹部９を覆う状態と開放する状態に開閉動作でき、蓋体９３を閉じた状態ではケース７の前面側にマットＭを凹部９へ挿入する挿入口９５が形成される。
また、凹部９には金属板によって構成される挿入ガイド９７が設けられ、この挿入ガイド９７は挿入口９５と駆動ローラ１１との間に備えられている。
更に凹部９には金属製の細い丸棒を組んで構成された排出ガイド９９が設けられ、この排出ガイド９９は駆動ローラ１１と図示しない落下口との間に備えられている。
ケース７の下方には金属製の細い丸棒を組んで構成されたマット受け１０１が設けられ、このマット受け１０１は後端部側を斜め上方へ向けた傾斜姿勢でベース３に備えられている。
【００２５】
本発明の乾式マット清掃装置１の使用方法について説明する。
乾式マット清掃装置１によって清掃されるマットＭは、表面に植毛部Ｂを有している。
まず、図示しない駆動スイッチをオンにして乾式マット清掃装置１のモータ４５を駆動させる。モータ４５の駆動軸４７と共に小径プーリー４９が回転すると、この駆動力がベルト５１を介して大径プーリー３１に伝達されて、叩打ローラ１５が図３において反時計回りの方向へ回転する。叩打ローラ１５の駆動力は小径スプロケット３３、チェーン５３を介して小径スプロケット４３へ伝達され、これに伴いチェーン５３が走行する。
そして、チェーン５３に噛み合っている大径スプロケット３７が小径スプロケット３９と共に図３において時計回りの方向へ回転する。小径スプロケット３９の駆動力はチェーン５４を介して大径スプロケット２９に伝達され、大径スプロケット２９と共に駆動ローラ１１が時計回りの方向へ回転する。
【００２６】
また、大径スプロケット２９と共に回動プレート６９が回動し、これにより連結プレート７１と連結シャフト７３が上下動する。そして、連結プレート７１と連結シャフト７３の上下動によって三角プレート５７が支持軸５９を支点として揺動させられ、これにより連結シャフト７５が左右方向へ動作する。連結シャフト７５が左右方向へ動作することで、ノズルホルダ６３がエアノズル６７と共に支持軸６５を支点として左右方向へ揺動する。
【００２７】
次に、図４に示すように植毛部Ｂを下にしてマットＭを挿入口９５から挿入し、駆動ローラ１１と従動ローラ１３との間へ進入させる。これにより、従動ローラ１３が僅かに持ち上がり、回動プレート７７が取付軸７９を支点として図４において時計回りの方向へコイルスプリング８１の付勢力に抗して回動する。回動プレート７７が回動すると、リミットスイッチ８３の押圧ボタン８５に対する押圧が解除されエアバルブ８７が開いて、図示しないコンプレッサーから連結管８９、エアバルブ８７及び連結管９１を介してエアノズル６７にエアが供給される。
【００２８】
また、マットＭが駆動ローラ１１と従動ローラ１３に挟持された状態で後方へ搬送され、叩打ローラ１５に対向すると、叩打ローラ１５の角部がマットＭの裏面を叩く。このようにマットＭの裏面が叩かれながら、エアノズル６７からマットＭの表面の植毛部Ｂに対してエアが噴射される。エアノズル６７は揺動しているので、エアは植毛部Ｂをかき分けるように作用して埃が掻き出される。このエアの作用と、前記叩打ローラ１５の叩打による振動、衝撃の相乗的な効果によって植毛部Ｂ内の埃Ｄが掻き出されて、埃Ｄを十分に除去することができる。
エアノズル６７はマットＭの搬送方向に交差する方向へ揺動しているので、マットＭの植毛部Ｂを満遍なく走査する。したがって、一つのエアノズル６７で植毛部Ｂ全体の埃Ｄを十分に除去することが可能である。
そして、マットＭが更に後方へ搬送され、排出ガイド９９に案内されて落下口からマット受け１０１上に落下する。
【００２９】
以上のように、本発明の乾式マット清掃装置１は洗浄液を給排水させるための機構を備えていないため、装置を小型なものにできる。また、乾式マット清掃装置１はマットＭの表面にエアを噴射して埃Ｄを除去するものであるため、マットＭを濡らさないので乾燥させる必要がない。更にマットＭがブラッシングされることもないので、植毛部Ｂを傷めることもない。
また、一台のモータ４５で駆動ローラ１１と叩打ローラ１５を回転させ、更にエアノズル６７を揺動させることが可能である。
【００３０】
以上、本発明の実施の形態について詳述してきたが、具体的構成は、この実施の形態に限られるものではなく、本発明の要旨を逸脱しない範囲における設計の変更などがあっても発明に含まれる。
例えば、乾式マット清掃装置１では、ノズルホルダ６３を揺動させるための駆動力を駆動ローラ１１から供給したが、本発明はこれに限定されず、叩打ローラ１５からノズルホルダ６３に駆動力を伝達する構成としてもよい。すなわち、回動プレート６９を叩打ローラ１５に連結し、この回動プレート６９に連結プレート７１を回動自在に連結して、連結プレート７１に連結された連結シャフト７３を三角プレート５７の右端部に回動自在に連結する構成としてもよい。
【産業上の利用可能性】
【００３１】
乾式マット清掃装置の製造業で利用できる。また、ガソリンスタンド等、マットを清掃するサービスを行っているサービス業で利用できる。
【符号の説明】
【００３２】
１…乾式マット清掃装置              ３…ベース
５…脚部                            ７…ケース
９…凹部                          １１…駆動ローラ
１３…従動ローラ                    １５…叩打ローラ
１７…軸部                          １９…ローラ部
２１…軸部                          ２３…ローラ部
２５…軸部                          ２７…ローラ部
２９…大径スプロケット              ３１…大径プーリー
３３…小径スプロケット              ３５…回転軸
３７…大径スプロケット              ３９…小径スプロケット
４１…回転軸                        ４３…小径スプロケット
４５…モータ                        ４７…駆動軸
４９…小径プーリー                  ５１…ベルト
５３、５４…チェーン                ５５…取付ベース
５７…三角プレート                  ５９…支持軸
６１…取付ベース                    ６３…ノズルホルダ
６５…支持軸                        ６７…エアノズル
６９…回動プレート                  ７１…連結プレート
７３、７５…連結シャフト            ７７…回動プレート
７９…取付軸                        ８１…コイルスプリング
８３…リミットスイッチ              ８５…押圧ボタン
８７…エアバルブ              ８９、９１…連結管
９３…蓋体                          ９５…挿入口
９７…挿入ガイド                    ９９…排出ガイド
１０１…マット受け                    Ｍ…マット
Ｂ…植毛部                          Ｄ…埃
【図１】
2015071133.tif 000003
【図２】
2015071133.tif 000004
【図３】
2015071133.tif 000005
【図４】
2015071133.tif 000006
【図５】
2015071133.tif 000007